(57)【要約】【課題】目標値よりも高ＷＩの燃料ガスが供給されても、予め固定的に設定された空気比に基づく燃焼用空気の流量を変更することなく、不完全燃焼を抑制する。【解決手段】供給ガスのＷＩの設定目標値ＷＩｓを、ＷＩの変動幅の最小値ＷＩmin、或いはＷＩmin＋βとした。ＷＩ調整制御が希釈制御のみの場合、想定以下のＷＩになると増熱制御はできないため、目標値ＷＩｓ以下の燃料ガスが供給されることになる。このとき、燃料ガスの理論空気量は低下するため、燃焼空気比は上昇することになる。しかし、ＣＯ排出性能が担保（排出ＣＯが充分抑制）されている範囲内での空気変化となるため、ＣＯ上昇のリスクを回避することが可能となる。すなわち、本実施の形態の希釈用の調整ガスは、ＷＩの目標値へ制御するためのＷＩ低減用であると共に、燃焼設備１２の燃焼器３０に供給する燃焼用空気の補完用として兼用されるため、別途、不完全燃焼改善対策を施す必要がない。【選択図】図９
2019035064.tif 000002
【特許請求の範囲】
【請求項１】
燃焼器に特定の燃焼性指標の燃料ガスが供給されることを想定して設定された空気比に基づく流量の燃焼用空気を、前記燃焼器へ供給する燃焼用空気供給手段と、
前記燃焼器に供給する前の燃料ガスの燃焼性指標が、前記特定の燃焼性指標よりも高い場合に、燃焼性指標の差分に相当する低減用であり、かつ前記燃焼用空気の補完用である希釈用の調整ガスを、前記燃焼器へ供給する前の燃料ガスに混合する混合手段と、
を有するガス調整装置。
【請求項２】
前記混合手段が、
前記燃料ガスの燃焼性指標の目標値を、燃料ガスの燃焼性指標の推定変動幅の最小値又は当該最小値から所定値を減算した値までの範囲内に設定する設定手段と、
前記燃焼器に供給する前の燃料ガスの燃焼性指標を取得する取得手段と、
前記取得手段で取得した燃焼性指標が、前記設定手段で設定された目標値となるように、前記燃料ガスに混合する希釈用の調整ガスの流量を制御する流量制御手段と、
を備えることを特徴とする請求項１記載のガス調整装置。
【請求項３】
前記燃料ガスの燃焼性指標は、燃料ガスの原料である液体燃料の成分組成変動、燃料ガスの原料である液体燃料を気化処理する時の気化器の稼働状況、又は燃料ガスを気化処理するときの処理負荷の変動に伴う燃料ガスの成分組成変動から推定される変動幅で変動することを特徴とする請求項１又は請求項２記載のガス調整装置。
【請求項４】
請求項１〜請求項３の何れか１項記載のガス調整装置が、
供給手段によってサテライト設備に供給されて貯留された流体状の原料を気化させた後の燃料ガスを燃焼器へ供給するサテライトガス配管の途中に設けられていることを特徴とするガス調整装置。
【請求項５】
前記供給手段が、タンクローリーを含む運搬手段、又は、供給元からサテライト設備まで原料を導管によって移送する移送手段であることを特徴とする請求項４記載のガス調整装置。
【請求項６】
請求項１〜請求項３の何れか１項記載のガス調整装置が、
貯蔵タンクに貯蔵された流体状の原料を気化させた後の燃料ガスを燃焼器へ供給するガス供給導管の途中に設けられていることを特徴とするガス調整装置。
【請求項７】
請求項１〜請求項６の何れか１項に記載のガス調整装置と、
液体燃料を気化処理することで、燃焼性指標の調整前である燃料ガスを生成し、前記ガス調整装置へ供給する気化処理装置と、
前記ガス調整装置により供給された前記燃料ガスを燃焼する燃焼器を備えた燃焼設備と、
を有するガス供給システム。
【請求項８】
コンピュータを、
請求項１〜請求項６の何れか１項に記載のガス調整装置における制御部として機能させるためのガス調整プログラム。
【発明の詳細な説明】
【技術分野】
【０００１】
本発明は、燃料ガスを、少なくとも燃焼性を担保する指標に基づいて調整するためのガス調整装置、調整された燃料ガスを顧客へ供給するためのガス供給システム、及びガス調整プログラムに関するものである。
【背景技術】
【０００２】
所謂都市ガスは、ウォッベ指数（以下、ＷＩという）、及び燃焼速度指数（以下、ＭＣＰという）に基づいて、１４種類のガス種に分類され、供給業者は、特定したガス種のガスを供給域内の需要家に対して供給している。
【０００３】
需要家へ供給するガスは、ＷＩ及びＭＣＰが、ガス種の範囲になるように成分組成を調整する。特に、ＷＩが重要視される。
【０００４】
一般に燃焼器は、予め定められた発熱量やＷＩとなる成分組成の燃料ガスが供給されることが好ましく、このときに熱効率や燃焼状態が最適となるように設計及び運転調整されている。従って、燃焼器において安定した燃焼を実現するためには供給ガスの発熱量やＷＩの変動はできるだけ小さい方が好ましい。
【０００５】
近年、例えば、ガス導管が設置されていない地域における都市ガス（都市ガス１３Ａ等）の需要増加に伴い、液化天然ガス（以下、ＬＮＧという）サテライト基地が建設されている。
【０００６】
ＬＮＧサテライト基地は、ＬＮＧ貯槽（ＬＮＧタンク）と、気化器を備えた設備である。ＬＮＧ供給業者は、ＬＮＧローリー車等の輸送手段でＬＮＧを輸送して、一旦ＬＮＧタンクに貯蔵する。ＬＮＧタンクに貯蔵されたＬＮＧは、気化器によって気化し、気化されたガスが工業団地や住宅等に供給される。
【０００７】
このようなＬＮＧサテライト供給システムでは、燃料ガスの原料である液体燃料の成分組成変動、あるいは、気化器の稼働状況や気化処理負荷の変動等に伴う供給ガスの成分組成変動による発熱量及びＷＩの変動が起こる場合がある。
【０００８】
このため、調整ガス（例えば、増熱用としてプロパンガス、希釈用として空気）を用いて、供給ガスのＷＩを最適な値、例えば、適正な燃焼が可能な許容範囲の中間値となるように制御する技術が提案されている（特許文献１参照）。
【０００９】
需要家先においては、ある一定のＷＩに制御された燃料ガスを供給し、当該需要家の各熱設備において、必要熱出力に見合うように燃料ガス流量及び燃焼用空気流量を調整して使用することが最も好ましい利用形態となる。
【００１０】
なお、ＷＩを含む組成変動抑制に関する参考として、特許文献２には、バーナへ燃焼用空気を供給するファンとバーナへのガス燃料を供給する燃料供給路とを備え、燃料供給路にはＷＩ測定器、及びガス流量調整弁が設けられ、ＷＩ測定器で測定されたガス燃料のＷＩに基づいてガス流量調整弁の開度を調整して、バーナへの供給熱量を所望に位置することが記載されている。
【００１１】
この特許文献２では、ボイラ毎に燃料ガスの性状を調整するものではなく、測定したＷＩ指数に基づいてガス流量を調整する構成であり、恒久的な燃料ガスのＷＩの変動抑制（性状調整）にはなっていない。
【先行技術文献】
【特許文献】
【００１２】
【特許文献１】特開２０１６−１９１０２４号公報
【特許文献２】特開２０１３−９２３１５号公報
【発明の概要】
【発明が解決しようとする課題】
【００１３】
変動するＷＩが高い方向の許容範囲（推定変動幅の最大値）を逸脱して変動するような場合、ＷＩが過多となる傾向がある。
【００１４】
例えば、ＷＩの調整制御を行っているときに、想定変動を超える高ＷＩの燃料ガスが供給されると、制御が追いつかず、設定よりも高ＷＩの燃料ガスが燃焼器へ送り込まれる場合がある。この高ＷＩの燃料ガスは、設定ＷＩの燃料ガスよりも理論空気量が多いため、予め固定的に設定している空気比に基づく燃焼用空気量では、空気量が不足し、当該空気量の不足が不完全燃焼を招く場合がある。
【００１５】
本発明は、目標値よりも高ＷＩの燃料ガスが供給されても、予め固定的に設定された空気比に基づき供給される燃焼用空気の流量を変更することなく、不完全燃焼を抑制することができるガス調整装置、ガス供給システム、及びガス調整プログラムを得ることが目的である。
【課題を解決するための手段】
【００１６】
本発明のガス調整装置は、燃焼器に特定の燃焼性指標の燃料ガスが供給されることを想定して設定された空気比に基づく流量の燃焼用空気を、前記燃焼器へ供給する燃焼用空気供給手段と、前記燃焼器に供給する前の燃料ガスの燃焼性指標が、前記特定の燃焼性指標よりも高い場合に、燃焼性指標の差分に相当する低減用であり、かつ前記燃焼用空気の補完用である希釈用の調整ガスを、前記燃焼器へ供給する前の燃料ガスに混合する混合手段と、を有している。
【００１７】
本発明によれば、燃焼用空気供給手段では、燃焼器に特定の燃焼性指標の燃料ガスが供給されることを想定して設定された空気比に基づく流量の燃焼用空気を、前記燃焼器へ供給する。すなわち、燃焼用空気供給手段による燃焼用空気の流量は、基本的に固定されている。
【００１８】
ここで、前記燃焼器に供給する前の燃料ガスの燃焼性指標が、前記特定の燃焼性指標よりも高い場合、理論空気量が多くなり（必要な空気流量が多くなり）、固定された燃焼用空気の流量では足りないことになる。
【００１９】
そこで、混合手段では、燃焼器に供給する前の燃料ガスの燃焼性指標が、特定の燃焼性指標よりも高い場合に、燃焼性指標の差分に相当する低減用であり、かつ燃焼用空気の補完用である希釈用の調整ガスを、燃焼器へ供給する前の燃料ガスに混合する。
【００２０】
例えば、希釈用の調整ガスとして、燃焼用空気と同等の機能を持つガスを用いることで、燃料ガスの燃焼性指標を適正に低減すると同時に、空気比を予め設定した空気比に維持することができる。
【００２１】
本発明において、前記混合手段が、前記燃料ガスの燃焼性指標の目標値を、燃料ガスの燃焼性指標の推定変動幅の最小値又は当該最小値から所定値を減算した値までの範囲内に設定する設定手段と、前記燃焼器に供給する前の燃料ガスの燃焼性指標を取得する取得手段と、前記取得手段で取得した燃焼性指標が、前記設定手段で設定された目標値となるように、前記燃料ガスに混合する希釈用の調整ガスの流量を制御する流量制御手段と、を備えることを特徴としている。
【００２２】
燃料ガスを希釈の一方向で制御するべく、設定手段では、燃料ガスの燃焼性指標の目標値を、燃料ガスの燃焼性指標の推定変動幅の最小値又は当該最小値よりも所定値を減算した値までの範囲内に設定する。
【００２３】
取得手段は、燃焼器に供給する前の燃料ガスの燃焼性指標を取得する。流量制御手段では、取得手段で取得した燃焼性指標が目標値となるように、調整ガスの流量を制御する。これにより、燃焼性指標の調整を、希釈用の調整ガスで補完することができる。
【００２４】
例えば、希釈用の調整ガスとして、燃焼用空気と同等の機能を持つガスを用いることで、燃料ガスの燃焼性指標を適正に低減すると同時に、空気比を予め設定した空気比に維持することができる。
【００２５】
本発明において、前記燃料ガスの燃焼性指標は、燃料ガスの原料である液体燃料の成分組成変動、燃料ガスの原料である液体燃料を気化処理する時の気化器の稼働状況、又は燃料ガスを気化処理するときの処理負荷の変動に伴う燃料ガスの成分組成変動から推定される変動幅で変動することを特徴としている。
【００２６】
燃料ガスの燃焼性指標の変動幅が推定できれば、調整ガスによる一方向の調整で済む目標値の設定が容易となる。
【００２７】
本発明において、ガス調整装置が、供給手段によってサテライト設備に供給されて貯留された流体状の原料を気化させた後の燃料ガスを燃焼器へ供給するサテライトガス配管の途中に設けられていることを特徴としている。
【００２８】
サテライト設備に予め流体状の原料を運搬しておき、当該サテライト設備内において、気化後の燃料ガスを燃焼器へ供給するサテライトガス配管にガス調整装置を設けることができる。
【００２９】
本発明において、前記供給手段が、タンクローリーを含む運搬手段、又は、供給元からサテライト設備まで原料を導管によって移送する移送手段であることを特徴としている。
【００３０】
サテライト設備への原料の供給手段としては、原料が例えばＬＮＧ（液化天然ガス）の場合、液体であるので、一般的には、タンクローリーに代表される運搬手段によって、所謂陸送される。しかし、供給元からサテライト設備まで、導管を用いて流体状の原料を移送する移送手段であってもよい。
【００３１】
本発明において、ガス調整装置が、貯蔵タンクに貯蔵された流体状の原料を気化させた後の燃料ガスを燃焼器へ供給するガス供給導管の途中に設けられていることを特徴としている。
【００３２】
貯蔵タンクに貯蔵された非気体状の原料を気化させた後、目的の燃焼器へ供給するガス供給導管にガス調整装置を設けることができる。例えば、ＬＮＧ船が停泊する港湾に貯蔵タンクを設け、貯蔵タンクに一時的に貯蔵された原料を取り出し、気化した直後の導管に、本発明のガス調整装置を設置するようにしてもよい。
【００３３】
本発明のガス供給システムは、上記ガス調整装置と、液体燃料を気化処理することで、燃焼性指標の調整前である燃料ガスを生成し、前記ガス調整装置へ供給する気化処理装置と、前記ガス調整装置により供給された前記燃料ガスを燃焼する燃焼器を備えた燃焼設備と、を有している。
【００３４】
本発明によれば、例えば、燃焼器に特定の燃焼性指標の燃料ガスが供給されることを想定して設定された空気比に基づく流量の燃焼用空気を、燃焼器へ供給する。すなわち、燃焼用空気の流量は、基本的に固定されている。
【００３５】
燃焼器に供給する前の燃料ガスの燃焼性指標が、特定の燃焼性指標よりも高い場合に、燃焼性指標の差分に相当する低減用であり、かつ燃焼用空気の補完用である希釈用の調整ガスを、燃焼器へ供給する前の燃料ガスに混合する。
【００３６】
希釈用の調整ガスとして、燃焼用空気と同等の機能を持つガスを用いることで、燃料ガスの燃焼性指標を低減すると同時に、空気比を予め設定した空気比に維持することができる。
【発明の効果】
【００３７】
以上説明した如く本発明では、目標値よりも高ＷＩの燃料ガスが供給されても、予め固定的に設定された空気比に基づき供給される燃焼用空気の流量を変更することなく、不完全燃焼を抑制することができる。
【図面の簡単な説明】
【００３８】
【図１】本実施の形態に係る燃料ガスを需要家に共有するためのサテライト基地の概略図である。
【図２】本実施の形態に係る燃料ガス調整装置及び燃焼設備の配管、及びＷＩ調整制御のための制御系の構成を示す概略図である。
【図３】本発明の効果検証用に、例として想定した７種類（供給ガスＡ〜供給ガスＧ：いずれも都市ガス１３Ａグループに属する）のガス性状（ＷＩ、ＭＣＰ）を示したものである。
【図４】（Ａ）は第１の実施の形態に係るＷＩの経時変動特性図、（Ｂ）はＷＩ−燃料ガス流量調整特性図である。
【図５】（Ａ）は、供給ガス（今回、例として想定した供給ガスＡ〜供給ガスＧの７種類のガス）の総発熱量に対する、ＷＩと密度とのそれぞれの関係を示す特性図、（Ｂ）は同供給ガスの密度−ＷＩテーブル特性図である。
【図６】本実施の形態に係るＷＩ調整制御が実行されるコントローラの概略構成図である。
【図７】本実施の形態に係るＷＩ調整制御部で実行されるＷＩ調整（希釈）制御ルーチンを示すフローチャートである。
【図８】本実施の形態に係るＷＩの変動を抑制するための運転管理制御負担を検証するための特性図であり、（Ａ）は供給ガスに対する希釈調整後の燃料ガス組成及び燃料ガス比重特性図、（Ｂ）は供給ガスに対する流量特性図、（Ｃ）は供給ガスに対する燃焼用空気流量及び燃焼空気比特性図である。
【図９】希釈調整特有の特徴を検証するための特性図であり、（Ａ）は供給ガス（今回、例として想定した供給ガスＡ〜供給ガスＧの７種類のガス）のＷＩ−理論空気量Ａ特性図、（Ｂ）は一般的な燃焼空気比−一酸化炭素ＣＯ濃度特性図である。
【図１０】希釈調整特有の特徴を検証するためのＷＩの経時変動特性図であり、（Ａ）は想定範囲内でのＷＩ変動時、（Ｂ）は想定範囲を超えるＷＩ変動時を示す。
【図１１】変形例１に係る燃料ガス調整装置の概略図であり、（Ａ）は第１の実施の形態及び第２の実施の形態で適用したものと同様の概略図、（Ｂ）はＷＩ計を混合器の上流側に配置した概略図、（Ｃ）は混合器の下流側にバイパスを設けてＷＩ計を配置した概略図、（Ｄ）は混合器の上流側にバイパスを設けてＷＩ計を配置した概略図である。
【図１２】変形例２に係る燃料ガス調整装置の概略図であり、（Ａ）は第１の実施の形態及び第２の実施の形態で適用したものと同等の概略図（バッファ無し）、（Ｂ）は混合器の下流側にバッファを設けた概略図、（Ｃ）は混合器の上流側にバッファを設けた概略図、（Ｄ）は混合器の上流側及び下流側にバッファを設けた概略図である。
【図１３】本実施の形態の変形例３に係る燃料ガス調整装置の設置状態を示す概略図である。
【図１４】変形例３において、希釈用の調整ガスを用いたＷＩ調整制御（本実施の形態）を実行する燃料ガス調整装置の概略図である。
【図１５】変形例３において、本実施の形態に準ずる、希釈によるＷＩ調整制御を実行するときのフローチャートである。
【発明を実施するための形態】
【００３９】
図１には、本実施の形態に係る燃料ガスを需要家に供給するためのサテライト基地１０の概略図が示されている。
【００４０】
サテライト基地１０は、ガス導管が設置されていない地域へ燃料（例えば、ＬＮＧ）を供給し、所謂都市ガスを生成するための基地である。
【００４１】
都市ガスについて詳細を述べる。
【００４２】
都市ガスは、ウォッベ指数（以下、ＷＩという）、及び燃焼速度指数（以下、ＭＣＰという）に基づいて、１４種類のガス種に分類され、供給業者は、特定したガス種のガスを供給域内の需要家に対して供給している。
【００４３】
ＷＩは、（１）式で表され、ガスの総発熱量Ｈ（ＭＪ／Ｎｍ３）をガスの空気に対する比重ｓの平方根で割った数値である。また、ＭＣＰは（２）式で表される。
【００４４】
【数１】
2019035064.tif 000003
【００４５】
ここで、
【００４６】
ＷＩ:ウォッベ指数
【００４７】
Ｈ：ガスの総発熱量Ｈ（ＭＪ／Ｎｍ３）
【００４８】
ｓ：ガス比重（空気＝１）
【００４９】
ＭＣＰ：燃焼速度指数
【００５０】
Ｓｉ：成分ｉの燃焼速度
【００５１】
ｆｉ：成分ｉに関わる係数
【００５２】
Ａｉ：ガス中の成分ｉの体積百分率
【００５３】
Ｋ：減衰係数
【００５４】
である。
【００５５】
一例として、メタン（ＣＨ４）を主成分とするガス種（都市ガス１３Ａという）は、ＷＩの範囲として、５２．７≦ＷＩ≦５７．２と定められ、ＭＣＰの範囲として、３５≦ＭＣＰ≦４７と定められている（図３参照）。
【００５６】
図３は、本発明の効果検証用に、例として想定した７種類（供給ガスＡ〜供給ガスＧ：いずれも都市ガス１３Ａグループに属する）のガス性状（ＷＩ、ＭＣＰ）を示したものである。
【００５７】
需要家へ供給するガスは、ＷＩ及びＭＣＰが、上記した都市ガス１３Ａのガス種の範囲になるように成分組成が調整され、燃焼設備１２（図１参照）へ供給される。
【００５８】
図１に示される如く、サテライト基地１０は、ＬＮＧタンク１４を備える。ＬＮＧタンク１４には、定期的又は不定期にローリー１６がＬＮＧを運搬し、補充するようになっている。なお、ＬＮＧタンク１４へのＬＮＧの補充は、ローリー１６等の移動手段に限定されず、ＬＮＧの拠点（例えば、港湾に設けられたＬＮＧ貯蔵タンク）から液体のまま搬送する導管を介して補充する供給手段を適用してもよい。
【００５９】
ＬＮＧタンク１４は、配管１８を介して気化器２０に接続されて、ＬＮＧタンク１４に貯蔵されたＬＮＧは、この配管１８を介して気化器２０に供給される。
【００６０】
気化器２０では、ＬＮＧを気化して燃料ガスの基となる供給ガスを生成する。
【００６１】
気化器２０は、配管２２を介して、燃料ガス調整装置２４に接続されている。
【００６２】
気化器２０によって気化されることで生成された供給ガスは、配管２２を介して燃料ガス調整装置２４へ供給される。
【００６３】
気化器２０によって気化されて得られる供給ガスのガス種は、例えば、都市ガス１３Ａである。より具体的な組成としては、メタンガスを主成分とし、その他、エタンガス、プロパンガス、ブタンガス等を含有する。
【００６４】
気化器２０では、燃料ガスの原料である液体燃料の成分組成変動、あるいは、当該気化器２０の稼働状況や気化処理負荷の変動等に伴う供給ガスの成分組成変動により、発熱量及びＷＩの変動が起こる場合がある（図４（Ａ）参照）。
【００６５】
そこで、燃料ガス調整装置２４には、前記気化器２０からの配管２２とは別に、調整ガスを供給する配管２６の一端部が接続されている。
【００６６】
本実施の形態では、調整ガスは、希釈調整の一方向であり、例えば、空気が適用される。配管２６の他端部には、図示しない送風機等が接続され、常時供給可能となっている。この希釈用の調整ガス（例えば、空気）を用いることで、供給ガスのＷＩは、図４（Ａ）の推定変動幅の最小値ＷＩmin又は誤差を見込んだ場合は、それ以下（ＷＩmin+β、βが負の数）を目標として制御される。βは、特に限定されるものではないが、一般的に適用されるガス種（ここでは、都市ガス１３Ａ）のＷＩの平均値の１０％以下程度とすれば、実用的には問題ない。
【００６７】
図１に示される如く、燃料ガス調整装置２４は、配管２８を介して燃焼設備１２に接続されている。燃料ガス調整装置２４では、供給ガスに対して希釈用の調整ガスを供給することで、ＷＩが調整された燃料ガスを、配管２８を介して燃焼設備１２へ供給する。
【００６８】
図２は、本実施の形態に係る燃料ガス調整装置２４及び燃焼設備１２の配管、及びＷＩ調整制御のための制御系の構成を示す概略図である。
【００６９】
図２に示される如く、燃焼設備１２は、燃焼器３０によって燃料ガスを燃焼させる設備である。燃焼設備１２としては、ガスタービン、ガスエンジン、又は工業炉等が挙げられる。
【００７０】
燃焼器３０には、それぞれ燃料ガス調整装置２４からの配管２８から分岐された燃料ガス分岐管３２と、燃焼用空気を供給する配管３４から分岐された空気分岐管３６とが接続されており、燃焼器３０毎に予め定めた燃焼量および燃焼空気比によって燃焼させる。
【００７１】
この燃焼量および燃焼空気比の調整のため、各燃料ガス分岐管３２には燃料ガス調整弁３８が設けられると共に、燃焼用空気を供給する配管３４には、空気調整弁４０が設けられている。
【００７２】
燃料ガス調整弁３８は、供給ガスの性状（特に、ＷＩ）によって調整されるものであり、図４（Ｂ）に示される如く、ＷＩが小さい値であればあるほど、流量を増やす（多くする）ことで、適正な燃焼量に調整される。なお、本実施の形態では、ＷＩを推定変動幅の最小値ＷＩmin又は誤差を見込んだ場合は、それ以下（ＷＩmin+β、βは負の数）とするため（例えば、ＷＩ＝５０ＭＪ／Ｎｍ３）、当該ＷＩに見合った燃料ガス流量Ｑｇが設定される。
【００７３】
（燃料ガス調整装置２４）
【００７４】
図２に示される如く、燃料ガス調整装置２４は、混合器４２を備えている。混合器４２は、ベンチュリーミキサー等が適用可能である。なお、電磁弁等の開閉制御によってガスを混合する構造であってもよい。
【００７５】
混合器４２の主流入口４２Ａには、気化器２０（図１参照）からの配管２２が接続されている。また、混合器４２の副流入口４２Ｂには、希釈用の調整ガスを導入する配管２６が接続されている。また、この配管２６には、流量調整部４４が介在されており、混合器４２へ送出する希釈用の調整ガスの流量が調整されるようになっている。流量調整部４４は、コントローラ５０に接続されている。
【００７６】
混合器４２では、主流入口４２Ａから導入した供給ガスと、前記流量調整部４４で調整されて副流入口４２Ｂから導入した希釈用の調整ガスとを混合し、燃料ガスを生成する。
【００７７】
一方、混合器４２の流出口４２Ｃには、燃焼設備１２に燃料ガスを供給する配管２８が接続されている。
【００７８】
ここで、混合器４２の下流側の配管２８には、ＷＩを検出するためのＷＩ計４６が介在されている。ＷＩ計は、ＷＩを直接検出可能である。
【００７９】
なお、ＷＩ計に代えて、燃料ガスの変数Ｘを検出するための検出器（Ｘ／Ｍ）を適用してもよい。変数Ｘとは、検出対象を示す変数の総称であり、最終的に、ＷＩ（ウォッベ指数）を取得可能な変数Ｘであればよい。Ｘ／Ｍとしては、ＷＩと相関のある密度を検出する密度計及び発熱量計等が適用可能である。すなわち、相関のある変数Ｘ（密度及び発熱量等）から、予め記憶した換算テーブルに基づき、ＷＩを間接的に取得可能である。
【００８０】
図５（Ａ）は、供給ガス（今回、例として想定した供給ガスＡ〜供給ガスＧの７種類のガス（図３参照））の総発熱量に対する、ＷＩと密度とのそれぞれの関係を示す特性図である。図５（Ａ）からもわかるように、総発熱量に対して、ＷＩ及び密度はそれぞれほぼ正比例の関係となっている。言い換えれば、ＷＩと密度との間にも相関関係を持っていることがわかる。
【００８１】
そこで、例えば、検出器（Ｘ／Ｍ）の変数Ｘを密度とした場合、図５（Ｂ）に示されるようなテーブル（密度−ＷＩテーブル）を予め準備し、記憶しておくことで、ＷＩ計４６に代わる検出器で密度を検出し、密度−ＷＩテーブルに基づき、ＷＩを取得することができる。
【００８２】
なお、ＷＩを取得可能であれば、間接的に検出する対象は、密度及び発熱量に限定されるものではなく、燃料ガスの組成の一部又は全部を分析するアナライザ等であってもよい。燃料ガスの組成の一部とは、ＷＩに最も影響を及ぼし、かつ変動幅が大きいプロパンガスの含有率等が挙げられる。
【００８３】
ＷＩ計４６は、コントローラ５０に接続されている。
【００８４】
図６に示される如く、コントローラ５０は、マイクロコンピュータ５２を有し、マイクロコンピュータ５２は、ＣＰＵ５２Ａ、ＲＡＭ５２Ｂ、ＲＯＭ５２Ｃ、入出力部（Ｉ／Ｏ）５２Ｄ、及びこれらを接続するデータバスやコントロールバス等のバス５２Ｅを備えている。
【００８５】
Ｉ／Ｏ５２Ｄには、ユーザインターフェイス（ＵＩ）５４及びＨＤＤ（ハードディスクドライブ）５６が接続されている。ＵＩ５４は、例えば操作部５４Ａ及び表示部５４Ｂを備え、操作部５４Ａではユーザからの指示を受け付け、表示部５４Ｂでは処理状況（燃料ガスの生成状況）を報知する。なお、ＵＩ５４としては、操作部５４Ａと表示部５４Ｂとが一体となったタッチパネルを適用してもよい。
【００８６】
また、Ｉ／Ｏ５２Ｄには、入力系デバイスとしてＷＩ計４６が接続され、出力系として流量調整部４４が接続されている。
【００８７】
ＲＯＭ５２Ｃ（又はＨＤＤ５６）には、ＷＩ調整制御プログラムが記憶されており、このＣＰＵ５２Ａは、このＷＩ調整制御プログラムに従って動作する。すなわちコントローラ５０のマイクロコンピュータ５２は、例えば、ＲＯＭ５２Ｃに記憶されたＷＩ調整制御プログラムをＣＰＵ５２Ａで実行させることで、ＷＩ調整制御部５８（図２参照）として機能する。
【００８８】
ＣＰＵ５２Ａでは、ＷＩ計４６で検出したＷＩ（検出対象がＷＩ以外の変数Ｘの場合は、間接的にＷＩを取得可能な密度、発熱量等）の情報に基づき、燃料ガスが予め設定した目標のＷＩとなるように、供給ガスに混合する希釈用の調整ガスの流量を設定し、流量調整部４４を制御する。
【００８９】
なお、本実施の形態では、汎用的なマイクロコンピュータ５２を用いてＷＩ調整制御を実行するようにしたが、ＡＳＩＣ（Application Specific Integrated Circuit）等の専用デバイスやプログラマブルロジックデバイス等のハードウェア構成で実現してもよいし、複数種類のハードウェア構成の組み合わせで実現してもよい。
【００９０】
本実施の形態では、例として、混合ガスのＷＩの設定目標値ＷＩｓを、供給ガスのＷＩの推定変動幅以下であり、都市ガス１３ＡグループのＷＩ範囲を逸脱した５０ＭＪ／Ｎｍ３に設定している（図４（Ａ）参照）。
【００９１】
この設定目標値ＷＩｓは、供給ガスのＷＩの推定変動幅の最小値ＷＩminであってもよいし（ＷＩｓ←ＷＩmin）、最小値ＷＩminに所定のマイナス誤差βを加算した値ＷＩmin＋βであってよい（ＷＩｓ←ＷＩmin＋β、βは負の数）。マイナス誤差βは、供給ガスのＷＩの変動幅の許容誤差であることに加え、ＷＩの調整制御を希釈の一方向とするために設定されるものである。
【００９２】
以下に、本実施の形態の作用を図７のフローチャートに従い説明する。
【００９３】
図７は、ＷＩ調整制御部５８で実行されるＷＩ調整（希釈）制御ルーチンを示すフローチャートである。このＷＩ調整制御部５８の処理は、汎用性のあるマイクロコンピュータ５２のＣＰＵ５２Ａにおいて実行されるＷＩ調整制御プログラムとして処理されることを示す。なお、ＡＳＩＣ等、専用のロジックが組み込まれたデバイスをＷＩ調整制御部５８として適用してもよい。
【００９４】
まず、初期設定として、ステップ２００では、供給ガスのガス種から、ＷＩの許容される変動幅の最小値ＷＩminを取得し、ステップ２０２へ移行する。ステップ２０２では、設定目標値ＷＩｓを、ステップ２００で取得した最小値ＷＩminとし（ＷＩｓ←ＷＩmin）、ステップ２０４へ移行する。なお、設定目標値ＷＩｓは、最小値ＷＩminに所定のマイナス誤差βを加算した値ＷＩmin＋βであってよい（ＷＩｓ←ＷＩmin＋β）。ステップ２０４では、ＷＩｓを記憶することで、初期設定が終了し、ステップ２０６へ移行する。
【００９５】
なお、ステップ２００〜ステップ２０４の初期設定は必須ではなく、設定目標値ＷＩｓが既に記憶された状態で、ステップ２０６から処理を開始するようにしてもよい。
【００９６】
ステップ２０６では、供給ガスの供給が開始されたか否か、すなわち、ＬＮＧタンク１４からＬＮＧが送出されて、気化器２０による気化が開始され、供給ガスが生成されたか否かを判断し、肯定判定されるまで待機する。ステップ２０６で肯定判定されると、ステップ２０８へ移行して、ＷＩ計４６により供給ガスのＷＩを検出する。
【００９７】
なお、ＷＩ計４６以外の検出器（Ｘ／Ｍ）を用いた場合は、検出対象（例えば、密度、発熱量等）を検出後に予め記憶された換算テーブルを読み出してＷＩを得るようにすればよい。
【００９８】
次のステップ２１０では、予め記憶した設定目標値ＷＩｓを読み出し、次いで、ステップ２１２へ移行して、設定目標値ＷＩｓと検出値ＷＩとの差分ΔＷＩを演算する（ΔＷＩ＝ＷＩ−ＷＩｓ）。本実施の形態では、検出値＞設定目標値ＷＩｓであるため、差分ΔＷＩは必ず正の数となる。なお、逆に差分ΔＷＩが負の数である場合は、何らかのエラー（システムエラー、供給ガスのＷＩ許容範囲逸脱等）が考えられるため、警報を発するようにしてもよい。
【００９９】
警報と同時に、差分ΔＷＩ値の度合いにより、システムの稼働を停止するか否かを定めておき、差分ΔＷＩが極めて小さい負の数であり、システムの稼働を継続する場合は、演算結果である差分ΔＷＩ（負の数）を「０」とするプログラムを組み込んでおけば、システムは継続稼働可能である。
【０１００】
次のステップ２１４では、ステップ２１２で演算された差分ΔＷＩに基づき、希釈用の調整ガスの流量を決定し、次いでステップ２１６へ移行して、流量調整部４４を制御して、希釈用の調整ガス（例えば、空気）の流量を調整する。調整された希釈用の調整ガスは混合器４２へ送出される。
【０１０１】
これにより、燃料ガスのＷＩ値は、設定目標値ＷＩｓに維持されて、燃焼設備１２へ送出される。
【０１０２】
次のステップ２１８では、供給が終了したか否かを判断し、否定判定された場合は、ステップ２０８へ戻り、上記工程を繰り返す。また、ステップ２１８で肯定判定された場合はこのルーチンは終了する。
【０１０３】
以下に、本実施の形態における、ＷＩの変動を抑制するための運転管理制御負担について検証する（図８参照）
【０１０４】
供給ガス（今回例示する供給ガスＡ〜供給ガスＧの７種類のガス：図３参照）のＷＩの変動に対して、設定する目標値ＷＩｓを５０．０（ＭＪ／Ｎｍ３）に設定する。
【０１０５】
希釈用の調整ガスとして、空気を使用して、検出値ＷＩに応じて希釈する。
【０１０６】
図８（Ａ）に示される如く、供給ガスＡ〜供給ガスＧの各種供給ガスが、設定した目標値ＷＩｓの５０．０（ＭＪ／Ｎｍ３）とするために必要な空気の混合割合と、混合後のガス（燃料ガス）の総発熱量と比重を比較すると、空気希釈割合が高いほど混合後のガス（燃料ガス）の総発熱量及び比重はそれぞれ上昇することがわかる。
【０１０７】
また、図８（Ｂ）に示される如く、例えば、供給ガスＦの供給時に、燃料ガス調整弁３８の開度を調整してガス流量を設定し、燃焼器３０の燃焼量Ｉｐを１２５ｋＷとなるようにした場合、供給ガスＦ以外の供給ガスにおいて燃焼量Ｉｐ＝１２５ｋＷとなるために必要な燃料ガス（混合ガス）の流量はそれぞれ異なるが、図示のとおり、燃料ガス調整弁３８の開度を一定（供給ガスＦの供給時に設定した開度）としても、実際に流れる燃料ガス（混合ガス）の流量も、必要な燃料ガス（混合ガス）流量と同様に変化し、ほぼ必要流量の燃料ガス（混合ガス）が流れるため、供給ガスのＷＩが変動しても、燃焼量Ｉｐ＝１２５ｋＷは維持される。
【０１０８】
さらに、図８（Ｃ）に示される如く、例えば、供給ガスＦの供給時に、空気調整弁４０の開度を調整して燃焼用空気流量を燃焼空気比λが１．２となるようにした場合、供給ガスＦ以外の供給ガスにおいて燃焼空気比λが１．２となるために必要な燃焼空気流量は異なるが、送風機から供給される燃焼空気流量が一定（供給ガスＦの供給時に設定した流量）状態で運転した場合でも、供給ガスのＷＩに応じて、予め当該供給ガスに混合されている希釈空気も燃焼に使用されるため、供給ガスのＷＩが変動した場合でも燃焼空気比λは、設定値（燃焼空気比λ＝１．２）とほぼ一定となる。
【０１０９】
（ＷＩ調整制御が希釈制御である場合の特有の特徴）
【０１１０】
図９（Ａ）に示される如く、供給ガスのＷＩが変動する場合、燃焼に必要な理論空気量Ａが変動する。このとき、本実施の形態によるＷＩ調整制御（希釈用ガス（例えば空気）による一方向制御）を実行することで、供給ガスのＷＩの変動状況によらず、空気比一定の燃焼が継続される。
【０１１１】
また、一般に燃焼空気比λは、ＣＯ（一炭化酸素）排出量と熱効率を考慮して適正な値に設定される。すなわち、ＣＯ（一炭化酸素）排出量が許容範囲内に抑制され（０に近く）、かつ、排ガス損失を最小限に抑制するために充分に低い燃焼空気比λに設定する（図９（Ｂ）の点線位置参照）。
【０１１２】
ここで、図１０（Ａ）に示される如く、通常想定されるＷＩの変動状況（図４（Ａ）と同一）に対して、想定を超えるＷＩ変動が発生した場合を考える。
【０１１３】
まず、比較例として、ＷＩ調整制御が、増熱制御のみの場合、想定以上のＷＩになると、希釈できないため、設定目標値ＷＩｓ以上の燃料ガスが供給される。このとき、燃料ガスの理論空気量Ａは増加するため、燃焼空気比λが低下し、空気不足による不完全燃焼発生（ＣＯ上昇）のリスクが高まる可能性を持つ（図９（Ｂ）の左向き矢印Ａ参照）。このため、例えば、想定ＷＩ変動範囲を拡大するといった制御が必要となる。
【０１１４】
これに対して、本実施の形態のように、ＷＩ調整制御が希釈制御のみの場合、想定以下のＷＩになると増熱制御はできないため、設定目標値ＷＩｓ以下の燃料ガスが供給されることになる（図１０（Ｂ）の点線○印領域参照）。
【０１１５】
このとき、燃料ガスの理論空気量Ａは低下するため、燃焼空気比λは上昇することになる（図９（Ｂ）の右向き矢印Ｂ参照）。しかし、図９（Ｂ）に示される如く、ＣＯ排出性能が担保（排出ＣＯが充分抑制）されている範囲内での燃焼空気比変化となるため、ＣＯ上昇のリスクを回避することが可能となる。
【０１１６】
すなわち、本実施の形態の希釈用の調整ガスは、ＷＩの目標値へ制御するためのＷＩ低減用であると共に、燃焼設備１２の燃焼器３０に供給する燃焼用空気の補完用として兼用されるため、別途、不完全燃焼改善対策を施す必要がない。
【０１１７】
以上説明したように、本実施の形態では、ＷＩの変動を抑制するための運転管理制御負担を軽減することができる。
【０１１８】
また、本実施の形態によれば、混合ガスのＷＩの設定目標値ＷＩｓを、供給ガスのＷＩの変動幅の最小値ＷＩmin、或いは、最小値ＷＩminに所定のマイナス誤差βを加算した値ＷＩmin＋βとした。このため、許容範囲で変動する供給ガスのＷＩを設定目標値ＷＩｓに制御する場合、全て希釈となり、希釈用ガス（例えば、空気）を混合ガスに混合させる設備があればよい。言い換えれば、増熱用の調整ガスを混合ガスに混合させる設備が不要となるため、混合ガスのＷＩの変動幅の中間値等でＷＩを一定に制御する場合に比べて、ＷＩ制御用設備を簡素化することができる。
【０１１９】
（本実施の形態共通の変形例）
【０１２０】
以下に、本実施の形態において適用可能な変形例を示す。
【０１２１】
「変形例１（ＷＩ計４６配置形態）」
【０１２２】
変形例１は、ＷＩ計４６の配置位置が異なる構成である。図１１（Ａ）は、本実施の形態での適用例（基本構成）を示している。
【０１２３】
この基本構成に対して、図１１（Ｂ）に示される如く、ＷＩ計４６を混合器４２の上流側に配置してもよい。この場合、混合器４２の下流側にもＷＩ計４６を残し、混合器４２の上流及び下流でＷＩを検出するようにしてもよい。
【０１２４】
また、図１１（Ｃ）に示される如く、混合器４２の下流側の配管２８にバイパス管２８Ａを設け、当該バイパス管２８ＡにＷＩ計４６を設けてもよい。
【０１２５】
さらに、図１１（Ｄ）に示される如く、混合器４２の上流側の配管２２にバイパス管２２Ａを設け、当該バイパス管２２ＡにＷＩ計４６を設けてもよい。この場合、混合器４２の下流側にもバイパス管２８Ａ及びＷＩ計４６を残し、混合器４２の上流及び下流でＷＩを検出するようにしてもよい。
【０１２６】
「変形例２（バッファの追加構成）」
【０１２７】
変形例２は、配管系にガス（混合ガス及び／又は燃料ガス）の過度な性状変動を緩和吸収するバッファを設けた構成である。図１２（Ａ）は、本実施の形態での適用例（バッファ無し構成）を示している。
【０１２８】
このバッファ無し構成に対して、図１２（Ｂ）に示される如く、混合器４２の下流側（さらに、ＷＩ計４６の下流側）にバッファ６０を設けてもよい。
【０１２９】
また、図１２（Ｃ）に示される如く、混合器４２の上流側の配管２２にバッファ６２を設けてもよい。
【０１３０】
さらに、図１２（Ｄ）に示される如く、混合器４２の下流側の配管２８にバッファ６０を設けると共に、混合器４２の上流側の配管２２にバッファ６２を設けてもよい。
【０１３１】
バッファ６０、６２はそれぞれ、ガスの過度な性状変動を緩和吸収する緩衝装置として機能する容器等であればよい。
【０１３２】
「変形例３（燃料ガス調整装置２４及びその周辺機器の設置場所）」
【０１３３】
本実施の形態では、燃料ガス調整装置２４（及び気化器２０の機器）が、サテライト基地１０に設置された場合を示している。すなわち、当該サテライト基地１０のＬＮＧタンク１４に、ローリー１６によってＬＮＧを運搬する形態とし、サテライト基地１０に設けられた燃焼設備１２の燃焼器３０（ガス需要家）へ供給する。
【０１３４】
これに対して、変形例３では、燃料ガス調整装置２４及びその周辺機器を、調整前の原料を貯蔵する搬送元に設置し、当該搬送元で調整後の燃料ガスを、ガス導管を介して、遠隔の燃焼設備１２へ供給する形態とした。
【０１３５】
図１３は、変形例３に係る燃料ガス調整装置２４の周辺設備の概略図である。
【０１３６】
燃料ガス調整装置２４の拠点が、ＬＮＧタンカー７０が着岸及び離岸する港湾領域７２に設置されている。
【０１３７】
ＬＮＧを積載したＬＮＧタンカー７０が、港湾領域７２の港７２Ａに着岸すると、ＬＮＧタンカー７０の輸送タンク７０Ｔと、港７２Ａに設置されたＬＮＧ貯蔵タンク７４との間を着脱可能な配管７５（図１３では、点線矢印で図示）で接続する。
【０１３８】
これにより、輸送タンク７０Ｔ内のＬＮＧが、貯蔵タンク７４へ移送され、貯蔵される。なお、拠点（貯蔵タンク７４の設置場所）は、港湾領域７２に限定されるものではないが、サテライト基地におけるＬＮＧタンク１４（図１参照）とは、貯蔵量や供給するガス需要家先の限定等の条件に差異において一線を画するものである。
【０１３９】
貯蔵タンク７４と燃料ガス調整装置２４との間は、配管１８によって接続されている。このため、貯蔵タンク７４に貯蔵されたＬＮＧは、配管１８を介して燃料ガス調整装置２４へ供給される。
【０１４０】
燃料ガス調整装置２４、気化器２０、当該気化器２０で気化し供給ガスを燃料ガス調整装置２４へ送る配管２２、並びに、燃料ガス調整装置２４に調整ガス（希釈用ガス）を供給する配管２６の構成は、第１の実施の形態及び第２の実施の形態と同一である。このため、変形例３においては、燃料ガス調整装置２４を中心とした、ＷＩ調整制御のための各構成の詳細な説明は省略する。
【０１４１】
図１３に示す変形例３の設備は、前述した本実施の形態（希釈によるＷＩ調整制御）に適用可能である（変形例１及び変形例２においても同様）。
【０１４２】
図１４は、変形例３において、希釈用の調整ガスを用いたＷＩ調整制御（本実施の形態）を実行する燃料ガス調整装置２４の概略図である。
【０１４３】
なお、変形例３における燃料ガス調整装置２４は、本実施の形態で説明した燃料ガス調整装置２４と同一構成であり、異なる構成は、燃料ガス調整装置２４からＷＩが調整された後の燃料ガスを排出口に、ガス導管７６が接続されている点である。
【０１４４】
変形例３では、サテライト基地が存在しない燃焼設備１２（図１３参照）に燃料ガスを供給する形態である。言い換えれば、ＬＮＧは、貯蔵タンク７４から排出された直後に港湾領域７２において気化され、ガス導管７６を介して、目的の燃焼設備１２に供給される。
【０１４５】
図１５は、変形例３において、本実施の形態に準ずる、希釈によるＷＩ調整制御を実行するときのフローチャートである。なお、図７（本実施の形態）と同一処理については、同一のステップ番号を付す。
【０１４６】
まず、初期設定として、ステップ２００Ａでは、原料であるＬＮＧのガス種から、ＷＩの許容される推定変動幅の最小値ＷＩminを取得し、ステップ２０２へ移行する。ステップ２０２では、設定目標値ＷＩｓを、ステップ２００Ａで取得した最小値ＷＩminとし（ＷＩｓ←ＷＩmin）、ステップ２０４へ移行する。なお、設定目標値ＷＩｓは、最小値ＷＩminに所定のマイナス誤差βを加算した値ＷＩmin＋βであってよい（ＷＩｓ←ＷＩmin＋β）。ステップ２０４では、ＷＩｓを記憶することで、初期設定が終了し、ステップ２０６へ移行する。
【０１４７】
なお、ステップ２００Ａ〜ステップ２０４の初期設定は必須ではなく、設定目標値ＷＩｓが既に記憶された状態で、ステップ２０６から処理を開始するようにしてもよい。
【０１４８】
ステップ２０６では、供給ガスの供給が開始されたか否か、すなわち、ＬＮＧタンク１４からＬＮＧが送出されて、気化器２０による気化が開始され、供給ガスが生成されたか否かを判断し、肯定判定されるまで待機する。ステップ２０６で肯定判定されると、ステップ２０８へ移行して、ＷＩ計４６により供給ガスのＷＩを検出する。
【０１４９】
なお、ＷＩ計以外の検出器（Ｘ／Ｍ）を用いた場合は、検出対象（例えば、密度、発熱量等）を検出後に予め記憶された換算テーブルを読み出してＷＩを得るようにすればよい。
【０１５０】
次のステップ２１０では、予め記憶した設定目標値ＷＩｓを読み出し、次いで、ステップ２１２へ移行して、設定目標値ＷＩｓと検出値ＷＩとの差分ΔＷＩを演算する（ΔＷＩ＝ＷＩ−ＷＩｓ）。変形例３では、検出値＞設定目標値ＷＩｓであるため、差分ΔＷＩは必ず正の数となる。なお、逆に差分ΔＷＩが負の数である場合は、何らかのエラー（システムエラー、供給ガスのＷＩ許容範囲逸脱等）が考えられるため、警報を発するようにしてもよい。
【０１５１】
また、警報と同時に、差分ΔＷＩ値の度合いにより、システムの稼働を停止するか否かを定めておき、差分ΔＷＩが極めて小さい負の数であり、システムの稼働を継続する場合は、演算結果である差分ΔＷＩ（負の数）を「０」とするプログラムを組み込んでおけば、システムは継続稼働可能である。
【０１５２】
次のステップ２１４では、ステップ２１０で演算された差分ΔＷＩに基づき、希釈用の調整ガスの流量を決定し、次いでステップ２１６へ移行して、流量調整部４４を制御して、希釈用の調整ガス（例えば、空気）の流量を調整する。調整された希釈用の調整ガスは混合器４２へ送出される。
【０１５３】
これにより、燃料ガスのＷＩ値は、設定目標値ＷＩｓに維持されて、燃焼設備１２へ送出される。
【０１５４】
次のステップ２１８では、供給が終了したか否かを判断し、否定判定された場合は、ステップ２０８へ戻り、上記工程を繰り返す。また、ステップ２１８で肯定判定された場合はこのルーチンは終了する。
【０１５５】
なお、上記で説明した全ての形態（本実施の形態、及び変形例１〜変形例３）において、ガス（気体）の管路の途中に、意図的に臭いを付ける付臭器を取り付け、例えば、ガス漏れ等を無臭ガスよりも迅速に検知することが好ましい。
【符号の説明】
【０１５６】
１０    サテライト基地
１２    燃焼設備
１４    ＬＮＧタンク
１６    ローリー
１８    配管
２０    気化器
２２    配管
２４    燃料ガス調整装置
２６    配管（混合手段）
２８    配管
３０    燃焼器
３２    燃料ガス分岐管
３４    配管（燃焼用空気供給手段）
３６    空気分岐管（燃焼用空気供給手段）
３８    燃料ガス調整弁
４０    空気調整弁（燃焼用空気供給手段）
４２    混合器（混合手段）
４２Ａ    主流入口
４２Ｂ    副流入口
４２Ｃ    流出口
４４    流量調整部（流量制御手段）
４６    ＷＩ計（取得手段）
５０    コントローラ（流量制御手段）
５２    マイクロコンピュータ
５２Ａ    ＣＰＵ
５２Ｂ    ＲＡＭ
５２Ｃ    ＲＯＭ
５２Ｄ    Ｉ／Ｏ（入出力部）
５２Ｅ    バス
５４    ユーザインターフェイス（ＵＩ）
５４Ａ    操作部（設定手段）
５４Ｂ    表示部
５６    ＨＤＤ（ハードディスクドライブ）
５８    ＷＩ調整制御部（流量制御手段）
６０    バッファ
６２    バッファ
７０    ＬＮＧタンカー
７０Ｔ    輸送タンク
７２    港湾領域
７２Ａ    港
７４    貯蔵タンク
７６    ガス導管
【図１】
2019035064.tif 000004
【図２】
2019035064.tif 000005
【図３】
2019035064.tif 000006
【図４】
2019035064.tif 000007
【図５】
2019035064.tif 000008
【図６】
2019035064.tif 000009
【図７】
2019035064.tif 000010
【図８】
2019035064.tif 000011
【図９】
2019035064.tif 000012
【図１０】
2019035064.tif 000013
【図１１】
2019035064.tif 000014
【図１２】
2019035064.tif 000015
【図１３】
2019035064.tif 000016
【図１４】
2019035064.tif 000017
【図１５】
2019035064.tif 000018